(57)【特許請求の範囲】
【請求項１】
ランプを覆うカバーを器具本体に取付けた密閉型の天井直付照明器具において、前記カバーが上側カバーと下側カバーとパネルとを有し、前記上側カバーの透過率が前記下側カバーよりも高く、前記パネルが前記ランプから出る下方向の光を横へ照射するための反射効果を有するもので、前記上側カバーと前記下側カバーの間で前記下側カバーから離れて前記ランプに近接している照明器具。
【請求項２】
リモコン受信部が前記器具本体の中央部近傍に位置し、反射効果のある前記パネルの中央に前記リモコン受信部に臨む穴部を設けた請求項１記載の照明器具。
【請求項３】
前記ランプの光が直接前記カバーの下面に出ないように、前記パネルの穴部に立ち上がりを設けた請求項２記載の照明器具。
【請求項４】
前記パネルを水平状態から前記ランプまでの間で中央部が上方向に傾いた状態で設定し、外側にいくほど透過率が低下する請求項３記載の照明器具。
【請求項５】
前記器具本体の径よりも前記カバーの径がφ２００ｍｍ以上大きい請求項４記載の照明器具。
【発明の詳細な説明】
【０００１】
【発明の属する技術分野】
この発明は、住宅用、店舗用照明器具に関するものである。
【０００２】
【従来の技術】
従来、上面開放型の下面を覆うカバーがついた天井直付照明器具（シーリングライト）がある。図７はその従来例の照明器具の断面正面図である。図７に示すように、天井５０に固定された器具本体５１にランプ５２が保持され、このランプ５２を覆うように乳白カバー５３が器具本体５１に取付けられている。乳白カバー５３の透過率は６０〜７０％である。また、現在の主照明はリモコンでのスイッチングが主流となってきており、器具本体５１にはリモコン受信部５４が設けてある。また、図８は別の従来例の照明器具の斜視図である。図８に示すように、ランプは上下に配置され、ベース光（ランプが下方に配置）とアッパー光（ランプが上方に配置）の点灯切替ができる多光源（２光源以上）としたものもある。この場合、天井より垂下した器具本体５５がカバー５６で覆われ、カバー５６内の上側に白熱灯、下側に蛍光灯を配置している。
【０００３】
【発明が解決しようとする課題】
しかしながら、上記従来例において、くつろぐ光環境にするためには直接目に入るグレアをなくすことが必要であるが、光出力を落とすだけだとグレアは抑えられるが必要照度が確保されず、暗く感じてしまう。よって、必要照度を確保しつつ直接目に入るグレアをなくすことが課題である。つまり、カバーの下面の輝度を抑え、横もしくは上方向への光により必要照度を確保できる構成にできるかが課題である。
【０００４】
また、上方へ直接光が出るものとして、上面開放型の下面を覆うカバーがついた天井直付照明器具が従来からあるが、上面から虫やほこりがカバーにたまり、手入れの面で問題があるため、虫やほこりが入りにくい密閉型で実現することが必要となる。
【０００５】
上方へ直接光が出るものとして、上記のようにベース光（ランプが下方に配置〉とアッパー光（ランプが上方に配置）の点灯切替ができる多光源照明器具が従来からあるが、コストが高くなるという課題があった。また、アッパー光の部分には虫やほこりがたまるので前項と同じく手入れの面で問題があった。
【０００６】
一方、密閉型の天井直付照明器具において、単純に光を効率点く横方向や上方向に飛ばすには器具の下がりを大きくすることが一つの方法としてあるが、デザイン上問題があるため、一般の蛍光灯天井直付照明器具と同等の器具の下がりでカバーや本体を構成することが課題となった。
【０００７】
そこで、カバーの下面のグレアを抑えるため透過率を落としたり、リモコン受信部とカバーとの間に透過率を下げるものを配置する方法が考えられるが、この方法はリモコン感度が悪くなるため、上記以外の構成でカバーの下面のグレアを抑える必要がある。
【０００８】
また、カバーの下面のグレアを抑えながら必要照度を確保するには、反射板などの構成部品が必要となる。そのとき、カバーの下面全体が影や光むらが出てこないような構成にする必要がある。
【０００９】
また、横方向や上方向に光を飛ばすためカバーの上面や側面の透過率を上げることが必要となる。そのとき、本体内部が見えないよう全体の構成やサイズをどうするかが課題である。
【００１０】
したがって、この発明の目的は、リラックスできる光環境を提供するため、直接、目に入る部分のグレアをなくし、壁、天井を明るくすることにより、下方向ばかりが明るい従来の照明器具とは異なり、空間全体が均一な明るさになる照明器具を提供することである。
【００１１】
【課題を解決するための手段】
上記課題を解決するためにこの発明の請求項１記載の照明器具は、ランプを覆うカバーを器具本体に取付けた密閉型の天井直付照明器具において、前記カバーが上側カバーと下側カバーとパネルとを有し、前記上側カバーの透過率が前記下側カバーよりも高く、前記パネルが前記ランプから出る下方向の光を横へ照射するための反射効果を有するもので、前記上側カバーと前記下側カバーの間で前記下側カバーから離れて前記ランプに近接している。
【００１２】
このように、カバーの下面への透過率を他の部分より下げたので、グレアを感じることなく、空間全体を均一に照らすことができ、虫やほこりが入りにくい密閉構造を有した照明器具を得ることができる。
【００１３】
また、器具の下がりを大きくしなくても光を効率良く横方向や上方向に飛ばすことができデザイン上の問題もなく、反射板などの構成部品が必要なくカバーの下面全体に影や光むらが生じることもない。
【００１５】
横へのランプの光が透過する部分は下面よりも透過率の高いカバーを用い、ランプから出る下方向の光を横へ照射するための反射効果のあるパネルを有するので、パネルに反射した光は透過率の高いカバーより横方向に飛ばすことができる。
【００１６】
請求項２記載の照明器具は、請求項１において、リモコン受信部が器具本体の中央部近傍に位置し、反射効果のあるパネルの中央に前記リモコン受信部に臨む穴部を設けた。このように、リモコン受信部が器具本体の中央部近傍に位置し、反射効果のあるパネルの中央にリモコン受信部に臨む穴部を設けたので、リモコンの感度を確保することができ、リモコンでの点灯制御が可能な薄型デザインの照明器具として展開ができる。
【００１７】
請求項３記載の照明器具は、請求項２において、ランプの光が直接カバーの下面に出ないように反射効果のあるパネルの穴部に立ち上がりを設けた。このように、ランプの光が直接カバーの下面に出ないように反射効果のあるパネルの穴部に立ち上がりを設けたので、カバー下面中央部の輝度を抑えることができる。
【００１８】
請求項４記載の照明器具は、請求項３において、反射効果のあるパネルを水平状態からランプまでの間で中央部が上方向に傾いた状態で設定し、外側にいくほど透過率が低下する。このように、反射効果のあるパネルを水平状態からランプまでの間で中央部が上方向に傾いた状態で設定し、外側にいくほど透過率が低下するので、カバーの下面がむらなく均一に光る。
【００１９】
請求項５記載の照明器具は、請求項４において、器具本体の径よりもカバーの径がφ２００ｍｍ以上大きい。このように、器具本体の径よりもカバーの径がφ２００ｍｍ以上大きいので、照明器具を薄く見せることと本体内部が見えにくいようにすることを実現することができる。
【００２０】
【発明の実施の形態】
この発明の第１の実施の形態を図１ないし図４に基づいて説明する。図１（ａ）はこの発明の第１の実施の形態の照明器具の一部破断正面図、（ｂ）は反射効果のあるパネルの説明図、図２はこの照明器具のカバーの斜視図である。
【００２１】
図１（ａ）に示すように、この照明器具はランプ１を覆うカバー２を器具本体３に取付けた密閉型の天井直付照明器具であり、器具本体３が天井４に固定される。カバー２は可視光及び赤外線の透過性が良好なプラスチック材料からなる３つのパーツで構成され、カバー２の下面への透過率を上面などの他の部分より下げた。また、横方向に光を飛ばすため、横へのランプ１の光が透過する部分は下面よりも透過率の高いカバーを用い、ランプ１から出る下方向の光を横へ照射するための反射効果のあるパネルを有する。この場合、カバー２の３つのパーツは下側カバー５、上側カバー６および反射効果のあるパネル７からなる。下側カバー５は乳白カバーもしくは乳白とシルク印刷カバー（透過率６０〜７０％）、上側カバー６は透明カバーもしくは透明とつや消し加工カバー（透過率７０％以上、透明など）、反射効果のあるパネル７は乳白と白塗装パネル（透過率６０％以下）である。
【００２２】
また、リモコン受信部８が器具本体３の中央部近傍に位置し、リモコン感度を確保するため、反射効果のあるパネル７の中央にリモコン受信部８に臨む穴部９を有する。穴部９には、図２に示すように、カバー２の下面中央部の輝度を抑えるため、ランプ１の光が直接カバー２の下面に出ないように立ち上がり１０を設けている。また、図１（ｂ）に示すように、カバー２の下面がむらなく均一に光るように、反射効果のあるパネル７を水平状態（実線で示す）からランプ１までの間で中央部が上方向に傾いた状態（破線で示す）で設定し、外側にいくほど透過率が低下するようにした。また、照明器具を薄く見せることと器具本体３内部が見えにくいようにすることを実現するため、器具本体３の径よりもカバー２の径をφ２００ｍｍ以上大きくしてある。また、上側カバー６には器具本体３への取付部１８が３箇所に設けてある。
【００２３】
図３は第１の実施の形態の作用説明図である。図３に示すように、ランプ１と下側カバー５の下面との間に反射効果のある透過率が悪いパネル７を配置することにより、下面グレアを抑え、下に出る光２０を横方向に反射させることが可能となる。
【００２４】
次に上記構成の照明器具（実施例１とする）と図７に示した従来例の照明器具との比較照度値を示す。照度値はともに二重環形蛍光灯ランプ（商品名ツインパルック）１００Ｗで測定した。図４は測定条件を示す部屋の平面図である。図４において、１１ａ，１１ｂは壁、１２は床である。天井・壁は白クロス、床はミディアムオークフローリングである。またこの部屋の縦寸法ａは６ｍ、横寸法ｂは４．５ｍ、天井高さは２．５ｍ、測定位置▲１▼は床、▲２▼は床と天井、▲３▼は壁である。▲１▼，▲２▼，▲３▼は横方向の一方の壁１１ｂからの距離ｃが４．３ｍの位置にあり、かつ▲１▼は床上で縦方向の一方の壁１１ａから距離ｄが２．２５ｍの位置にあり、▲３▼は縦方向の一方の壁１１ａ上で高さ２．３ｍの位置あり、▲２▼は床上で▲１▼と▲３▼の間にある。照明器具は部屋の中心にあるとする。表１はその結果を示す。なお、ＪＩＳ基準（居間だんらん）は１５０ｌｘ以上（床面平均）である。
【００２５】
【表１】
0004461605.tif 000002
【００２６】
この実施の形態によれば、カバー２の下面への透過率を他の部分より下げたので、グレアを感じることなく、空間全体を均一に照らすことができ、虫やほこりが入りにくい密閉構造を有した照明器具を得ることができる。また、器具の下がりを大きくしなくても光を効率良く横方向や上方向に飛ばすことができデザイン上の問題もなく、反射板などの構成部品が必要なくカバー２の下面全体に影や光むらが生じることもない。
【００２７】
この発明の第２の実施の形態を図５に基づいて説明する。図５はこの発明の第２の実施の形態の照明器具の一部破断正面図である。
【００２８】
図５に示すように、カバー１３は可視光及び赤外線の透過性が良好なプラスチック材料からなる２つのパーツで構成され、下側カバー５と上側カバー６からなる。また、ランプ１から出る下方向の光を横へ照射するための反射効果のあるパネル１４を器具本体３側に有する。反射効果のあるパネル１４は、第１の実施の形態と同様に乳白と白塗装パネル（透過率６０％以下）である。
【００２９】
また、反射効果のあるパネル１４はランプ１の下方に配置され、その内周縁に、カバー１３の下面中央部の輝度を抑えるため、ランプ１の光が直接カバー１３の下面に出ないように立ち上がり１５を設けている。この立ち上がり１５を器具本体３に接合することによりパネル１４を支持している。また、リモコン受信部８は立ち上がり１５の内側に配置され、リモコン感度を確保している。その他の構成効果は、第１の実施の形態と同様である。
【００３０】
この発明の第３の実施の形態を図６に基づいて説明する。図６はこの発明の第３の実施の形態の照明器具の一部破断正面図である。
【００３１】
図６に示すように、第２の実施の形態と同様にカバー１３は可視光及び赤外線の透過性が良好なプラスチック材料からなる２つのパーツで構成され、下側カバー５と上側カバー６からなる。また、ランプ１から出る下方向の光を横へ照射するための反射板１６を器具本体３側に有する。反射板１６は、白塗装反射板（不透過）である。
【００３２】
また、反射板１６はランプ１の下方に配置され、その内周縁に器具本体３との接合部１７を設けている。接合部１７は、３〜４箇所とし、光が中央にも抜ける構成である。リモコン受信部８は接合部１７の内側に配置されている。この実施の形態では、ランプ１より下方向の光は反射板１６により反射されるため、接合部１７間に光が抜けることで下方向の光の照度を確保している。その他の構成効果は、第１の実施の形態と同様である。
【００３３】
【発明の効果】
この発明の請求項１記載の照明器具によれば、カバーの下面への透過率を他の部分より下げたので、グレアを感じることなく、空間全体を均一に照らすことができ、虫やほこりが入りにくい密閉構造を有した照明器具を得ることができる。
【００３４】
また、器具の下がりを大きくしなくても光を効率良く横方向や上方向に飛ばすことができデザイン上の問題もなく、反射板などの構成部品が必要なくカバーの下面全体に影や光むらが生じることもない。
【００３６】
横へのランプの光が透過する部分は下面よりも透過率の高いカバーを用い、ランプから出る下方向の光を横へ照射するための反射効果のあるパネルを有するので、パネルに反射した光は透過率の高いカバーより横方向に飛ばすことができる。
【００３７】
請求項２では、リモコン受信部が器具本体の中央部近傍に位置し、反射効果のあるパネルの中央にリモコン受信部に臨む穴部を設けたので、リモコンの感度を確保することができ、リモコンでの点灯制御が可能な薄型デザインの照明器具として展開ができる。
【００３８】
請求項３では、ランプの光が直接カバーの下面に出ないように反射効果のあるパネルの穴部に立ち上がりを設けたので、カバー下面中央部の輝度を抑えることができる。
【００３９】
請求項４では、反射効果のあるパネルを水平状態からランプまでの間で中央部が上方向に傾いた状態で設定し、外側にいくほど透過率が低下するので、カバーの下面がむらなく均一に光る。
【００４０】
請求項５では、器具本体の径よりもカバーの径をφ２００ｍｍ以上大きいので、照明器具を薄く見せることと本体内部が見えにくいようにすることを実現することができる。
【図面の簡単な説明】
【図１】（ａ）はこの発明の第１の実施の形態の照明器具の一部破断正面図、（ｂ）は反射効果のあるパネルの説明図である。
【図２】第１の実施の形態の照明器具のカバーの斜視図である。
【図３】第１の実施の形態の作用説明図である。
【図４】測定条件を示す部屋の平面図である。
【図５】この発明の第２の実施の形態の照明器具の一部破断正面図である。
【図６】この発明の第３の実施の形態の照明器具の一部破断正面図である。
【図７】従来例の照明器具の断面正面図である。
【図８】別の従来例の照明器具の斜視図である。
【符号の説明】
１  ランプ
２  カバー
３  器具本体
４  天井
５  下側カバー
６  上側カバー
７  反射効果のあるパネル
８  リモコン受信部
９  穴部
１０  立ち上がり
１３  カバー
１４  反射効果のあるパネル
１５  立ち上がり
１６  反射板
【図１】
0004461605.tif 000003
【図２】
0004461605.tif 000004
【図３】
0004461605.tif 000005
【図４】
0004461605.tif 000006
【図５】
0004461605.tif 000007
【図６】
0004461605.tif 000008
【図７】
0004461605.tif 000009
【図８】
0004461605.tif 000010